(57)【要約】【課題】加工や組立てに要する手間、及び部品点数の低減が可能な、苺パックの上端周縁を掛架支持する手段を備えた苺パック収納用トレーを提供すること。【解決手段】底面４の周囲に前後側壁８，９及び左右側壁２，３を設けて直方体状に形成される箱３００と、前記箱３００内を複数の区画に区切る十字状中仕切り４００とからなるトレー２００において、前記箱３００と十字状中仕切り４００とが、一枚の段ボールを折り目に沿って折曲することにより一体的に折り上げられてトレーが形成されるとともに、前記十字状中仕切り４００により区切られる箱３００内の各区画には、当該区画に収納される苺パック３０の上端周縁を、複数箇所において掛架支持するための支持片２２〜２５を設け、前記支持片２２〜２５は、底面４、左右側壁２，３及び十字状中仕切り４００の横仕切り１０，１１からそれぞれ拡開される。【選択図】図６
2015134636.tif 000002
【特許請求の範囲】
【請求項１】
底面の周囲に前後側壁及び左右側壁を設けて直方体状に形成される箱と、
前記箱内を複数の区画に区切る十字状中仕切りとからなるトレーにおいて、
前記箱と十字状中仕切りとが、一枚の段ボールを折り目に沿って折曲することにより一体的に折り上げられてトレーが形成されるとともに、
前記十字状中仕切りにより区切られる箱内の各区画には、当該区画に収納される苺パックの上端周縁を、複数箇所において掛架支持するための支持片を設け、
前記支持片は、底面、左右側壁及び十字状中仕切りの横仕切りからそれぞれ拡開されることを特徴とする苺パック収納用トレー。
【請求項２】
前記底面の前後両端部には、十字状中仕切りの縦仕切りと近接する位置に、斜め折り目を介して支持片が、当該端部から突出する状態で連設され、
前記支持片は、トレーを折り上げる際に前後側壁に押付けられることにより強制的に上方へ拡開され、苺パックの一隅角部を掛架支持することを特徴とする請求項１記載の苺パック収納用トレー。
【請求項３】
前記左右側壁の前後両端部には、折り目を介して支持片が、当該端部から突出する状態で連設され、
前記支持片は、トレーを折り上げる際に前後側壁に押付けられることにより強制的に内側へ拡開され、苺パックの一隅角部を掛架支持することを特徴とする請求項１記載の苺パック収納用トレー。
【請求項４】
前記十字状中仕切りの横仕切りには、縦仕切りが嵌合する嵌合用切れ目の左右に支持片を形成し、
前記支持片は、トレーを折り上げることにより前後に二枚重ねされた状態の横仕切りから折り目に沿って相反する方向へ拡開され、苺パックの一短縁部を掛架支持することを特徴とする請求項１記載の苺パック収納用トレー。
【発明の詳細な説明】
【技術分野】
【０００１】
本発明は、複数個の苺パックを収納する段ボール製のトレーに関する。
【背景技術】
【０００２】
従来から、苺パックの輸送や保管のために、一枚の段ボールを折り上げて形成したトレーが使用されている。本件出願人は、先に、苺の品質保持のために苺パックを、その上端周縁を掛架支持してトレー底面から浮かせた状態で収納するようにしたトレーについて提案している（例えば、特許文献１，２参照）。
【０００３】
特許文献１，２に記載のトレーは、一枚の段ボールから折り上げた箱の中に、別途用意した十字状中仕切りを装着して、４個の苺パックを収納するものであり、いずれも苺パックの上端周縁を、箱の側壁から拡開された支持片と、十字状中仕切りとで掛架支持するようにしている。このようなトレーにおいては、前記苺パックの底面をトレーの底面に接することなく、宙に浮かせた状態とすることができるので、パック内に段積みした苺がその重量によって押し潰されて傷付くのを防ぐことができるという利点を有する。
【先行技術文献】
【特許文献】
【０００４】
【特許文献１】特許第３８１３５９０号公報
【特許文献２】特許第４６４１７６９号公報
【発明の概要】
【発明が解決しようとする課題】
【０００５】
然るに、前記特許文献１，２に記載のトレーにおいては、箱と中仕切りとを別個に製作しているため、素材を裁断加工する手間を多く要する上、組立てにも手間が掛かり、また、部品点数も増加するという問題があった。
【０００６】
本発明は前記の問題点に鑑み、加工や組立てに要する手間、及び部品点数の低減が可能な、苺パックの上端周縁を掛架支持する手段を備えた苺パック収納用トレーの提供を目的とする。
【課題を解決するための手段】
【０００７】
前記の課題を解決するために、本発明の苺パック収納用トレーは、次のように構成した。即ち、底面の周囲に前後側壁及び左右側壁を設けて直方体状に形成される箱と、前記箱内を複数の区画に区切る十字状中仕切りとからなるトレーにおいて、前記箱と十字状中仕切りとが、一枚の段ボールを折り目に沿って折曲することにより一体的に折り上げられてトレーが形成されるとともに、前記十字状中仕切りにより区切られる箱内の各区画には、当該区画に収納される苺パックの上端周縁を、複数箇所において掛架支持するための支持片を設け、前記支持片は、底面、左右側壁及び十字状中仕切りの横仕切りからそれぞれ拡開されることを特徴としている。
また、前記底面の前後両端部には、十字状中仕切りの縦仕切りと近接する位置に、斜め折り目を介して支持片が、当該端部から突出する状態で連設され、前記支持片は、トレーを折り上げる際に前後側壁に押付けられることにより強制的に上方へ拡開され、苺パックの一隅角部を掛架支持することを特徴としている。
更に、前記左右側壁の前後両端部には、折り目を介して支持片が、当該端部から突出する状態で連設され、前記支持片は、トレーを折り上げる際に前後側壁に押付けられることにより強制的に内側へ拡開され、苺パックの一隅角部を掛架支持することを特徴としている。
更にまた、前記十字状中仕切りの横仕切りには、縦仕切りが嵌合する嵌合用切れ目の左右に支持片を形成し、前記支持片は、トレーを折り上げることにより前後に二枚重ねされた状態の横仕切りから折り目に沿って相反する方向へ拡開され、苺パックの一短縁部を掛架支持することを特徴としている。
【発明の効果】
【０００８】
本発明の苺パック収納用トレーは、当該トレーを構成する直方体状の箱と十字状中仕切りとが、一枚の段ボールを折り目に沿って折曲することにより一体的に折り上げられて形成されるとともに、前記十字状中仕切りにより区切られる箱内の各区画に、当該区画に収納される苺パックの上端周縁を、複数箇所において掛架支持するための支持片が設けてあるので、従来のトレーに比べ、加工や組立てに要する手間、及び部品点数を低減して、簡単・迅速に形成することができる。
また、十字状中仕切りにより区切られる箱内の各区画に、苺パックの上端周縁を掛架支持するために設ける支持片は、トレーを折り上げる際に前後側壁に押付けられることにより底面及び左右側壁から折り目に沿って強制的に拡開されるとともに、トレーを折り上げた後に二枚重ねされた状態の横仕切りから折り目に沿って相反する方向へ拡開されるので、特別な手間を要することなく、所定位置に設けることができる。
そして、箱内の各区画に収納される苺パックは、前後側壁側に位置する２箇所の隅角部が、底面及び左右側壁から拡開される支持片により掛架支持されるとともに、横仕切り側に位置する短縁部が、当該横仕切りから拡開される支持片により掛架支持されるので、前記苺パックの底面は、トレーの底面に接することなく、宙に浮かせた状態とすることができ、この結果、パック内に段積みした苺がその重量によって押し潰されて傷付くのを防ぐことができる。
【図面の簡単な説明】
【０００９】
【図１】本発明における苺パック収納用トレーを示す斜視図である。
【図２】同トレーの展開図である。
【図３】同トレーを折り上げ始めた状態を示す斜視図である。
【図４】同トレーを折り上げる途中の状態を示す図であり、（ａ）は斜視図、（ｂ）は断面図である。
【図５】同トレーの右半分が折り上がった状態を示す図であり、（ａ）は斜視図、（ｂ）は断面図である。
【図６】同トレーに苺パックを収納した状態を示す斜視図である。
【図７】苺パックの斜視図である。
【発明を実施するための形態】
【００１０】
以下、本発明を実施するための形態を、図１ないし図７を参照しながら具体的に説明する。図１は本発明における苺パック収納用トレーの斜視図である。図２は同トレーの展開図である。図３は同トレーを折り上げ始めた状態を示す斜視図である。図４は同トレーを折り上げる途中の状態を示す斜視図及び断面図である。図５は同トレーの右半分が折り上がった状態を示す斜視図及び断面図である。図６は同トレーに苺パックを収納した状態を示す斜視図である。図７は苺パックの斜視図である。
【００１１】
図１において、２００は本発明の苺パック収納用トレー（以下、単にトレーと称する）を示す。前記トレー２００は、底面４の周囲に前後側壁８，９及び左右側壁２，３を設けて直方体状に形成される箱３００と、前記箱３００内を複数の区画に区切る十字状中仕切り４００とからなり、前記箱３００と十字状中仕切り４００とが、図２に示す一枚の段ボール１００を複数の折り目に沿って折曲することにより一体的に折り上げられて形成されている。
【００１２】
図２にトレー２００を展開した状態、即ち、トレー２００に折り上げる前の段ボール１００を示す。段ボール１００の中央部には方形状の中央面１が設けられ、その左右両側には、主折り目Ａを介して左右側壁２，３が連設されている。左右側壁２，３は二重壁であり、前記主折り目Ａを介して中央面１に連設される外壁２ａ，３ａと、前記外壁２ａ，３ａに二重折り目Ｂを介して連設される内壁２ｂ，３ｂからなる。前記左右側壁２，３の内壁２ｂ，３ｂには、折り目Ｃを介してトレー２００の底面４を構成する左右半底面４ａ，４ｂが連設されており、また、前記左右半底面４ａ，４ｂには、折り目Ｄを介して十字状中仕切り４００を構成する縦仕切り６，７が連設されている。
【００１３】
段ボール１００の中央面１には、前後側壁８，９と、十字状中仕切り４００を構成する横仕切り１０，１１と、前記前後側壁８，９及び横仕切り１０，１１をそれぞれ切起し状に起立形成させるための複数の切起用切れ目１２及び切起用折り目Ｅ１，Ｅ２が、図２に示す配置でもって、主折り目Ａ，Ａ間に跨らせた状態で設けられている。
即ち、前後側壁８，９は、切起用折り目Ｅ１を介して中央面１の前後縁部１ａ，１ｂに連設されており、また、中央面１の中央部には横仕切り１０，１１が切起用折り目Ｅ２を挟んで対称状に設けられており、更に、前後側壁８，９と横仕切り１０，１１との間には切起用切れ目１２が設けられている。
なお、前記切起用折り目Ｅ１，Ｅ２は、前後側壁８，９及び横仕切り１０，１１を起立させやすいように、裏面に切れ目を設けるようにしてもよい。また、中央面１の真ん中に設ける切起用折り目Ｅ２は、折り目とする代わりに切れ目にしてもよい。
【００１４】
左右側壁２，３を構成する外壁２ａ，３ａには、前後側壁８，９及び横仕切り１０，１１の起立を補助するための台形状の起立補助片１３を、前後側壁８，９及び横仕切り１０，１１の左右両端に連なる状態で設けている。前記起立補助片１３は、切起用折り目Ｅ１，Ｅ２と主折り目Ａ，Ａとの交点から４５度の角度で延びる斜め折り目Ｆと、切起用切れ目１２の両端から延びるＴ形切れ目１４とに囲まれて形成されている。なお、前記斜め折り目Ｆの裏面には、起立補助片１３を折曲しやすいように切れ目を設けるようにしてもよい。
【００１５】
前後側壁８，９の上縁部となる切起用切れ目１２の両端部には、折り上がったトレー２００の上縁四隅にそれぞれ突出させる係止片１５を設けている。前記係止片１５は主折り目Ａに跨らせてその左右両側に対称状に設けている。また、前後側壁８，９を起立させる切起用折り目Ｅ１，Ｅ１の両端部には、前後側壁８，９及び起立補助片１３の起立を補助する刳抜孔１６をそれぞれ設けている。一方、左右半底面４ａ，４ｂの折り目Ｃ側における前後両端部には、当該端部をＬ字形に切欠くことにより、各係止片１５を挿嵌させる係合部２１を設けている。
【００１６】
更に、段ボール１００をトレー２００に折り上げていく過程で、左右側壁２，３、左右半底面４ａ，４ｂ及び縦仕切り６，７と、前後側壁８，９及び横仕切り１０，１１とが互いに干渉するそれぞれの箇所に、嵌合用切れ目１７〜２０を設けている。これら嵌合用切れ目１７〜２０のうち、嵌合用切れ目１７は、二重折り目Ｂから縦仕切り６，７の中程に跨るようにして横長に設けられており、折り目Ｃとの交差箇所には、当該交差箇所を中心として、その幅を紡錘形ないしは菱形状に拡開させた拡開部１７ａを設けている。
【００１７】
左右側壁２，３を構成する内壁２ｂ，３ｂの前後両端部には、左右半底面４ａ，４ｂと近接する位置に、折り目Ｇを介して矩形状の支持片２２が、前記内壁２ｂ，３ｂの端部から突出する状態で連設されている。前記支持片２２は、内壁２ｂ，３ｂを二重折り目Ｂに沿って折り曲げる際に前後側壁８，９に押付けられ、折り目Ｇに沿って強制的に内側に拡開される。なお、前記支持片２２の高さ寸法は、苺パックの高さ（深さ）寸法よりも大きくしてある。また、折り目Ｇは折り目Ｃに対して直角に設けられている。
【００１８】
左右半底面４ａ，４ｂの前後両端部には、十字状中仕切り４００を構成する縦仕切り６，７と近接する位置に、斜め折り目Ｈを介して略三角形状もしくは略台形状の支持片２３が、前記左右半底面４ａ，４ｂの端部から突出する状態で連設されている。前記支持片２３は、左右半底面４ａ，４ｂを折り目Ｃに沿って折り曲げる際に前後側壁８，９に押付けられ、斜め折り目Ｈに沿って強制的に上方へ拡開される。なお、前記支持片２３の高さ寸法は、苺パックの高さ（深さ）寸法よりも大きくしてある。また、斜め折り目Ｈは折り目Ｄに対して鋭角に設けられており、支持片２３は前後側壁８，９に対して斜めとなる。
【００１９】
十字状中仕切り４００を構成する横仕切り１０，１１には、縦仕切り６，７が嵌合する嵌合用切れ目１８の左右に、逆台形状の支持片２４，２５が形成されており、一方の支持片２５には、半円状の切欠部２５ａが設けられている。前記支持片２４，２５は、切起用折り目Ｅ２に沿って折り曲げることにより二枚重ね状に起立した横仕切り１０，１１から、折り目Ｊに沿って相反する方向（前後方向）へ拡開される。なお、支持片２４，２５の上端は、横仕切り１０，１１の上端よりも凹んだ状態となるようにする。また、支持片２４，２５の形状は、逆台形状に限らず、苺パックの一短縁部を掛架支持することができる形状であればよい。
【００２０】
次に、図２に示す一枚の段ボール１００からトレー２００を折り上げる動作について、図３ないし図５を参照しながら説明する。段ボール１００からトレー２００を折り上げるには、まず段ボール１００を中央面１の左右両側、即ち、主折り目Ａ，Ａの位置において一旦下向きに折曲させて折り癖をつける。
【００２１】
つづいて、今度は図３に示すように、主折り目Ａ，Ａの位置において左右側壁２，３の外壁２ａ，３ａを上向きに折曲して対向状に起立させていくと、前記外壁２ａ，３ａに前後側壁８，９及び横仕切り１０，１１の左右両端部と連なる状態で設けた台形状の起立補助片１３が、斜め折り目Ｆの位置において上向きに折曲されて外壁２ａ，３ａと折り重なり、かつ、主折り目Ａの位置において前後側壁８，９及び横仕切り１０，１１に対して直角に折曲されることに伴い、図４，５に示すように、前記前後側壁８，９及び横仕切り１０，１１は、それぞれ切起用折り目Ｅ１，Ｅ２に沿って起立する。
【００２２】
然る後、図４，５に示すように、左右半底面４ａ，４ｂを、左右側壁２，３の内壁２ｂ，３ｂに対して直角となるように、また、縦仕切り６，７を左右半底面４ａ，４ｂに対して直角となるように、それぞれ折り目Ｃ，Ｄに沿って折り曲げた状態で、前記内壁２ｂ，３ｂを、二重折り目Ｂに沿って下向きに折曲して外壁２ａ，３ａの内側へ折り曲げ、前記外壁２ａ，３ａとの間に台形状の起立補助片１３を巻き込んだ（挟み込んだ）状態で折り重ねる。これにより、二重壁状の左右側壁２，３が形成され、前後側壁８，９及び横仕切り１０，１１の切起しによって外壁２ａ，３ａに生じた穴部は内壁２ｂ，３ｂによって塞がれる。
【００２３】
また、内壁２ｂ，３ｂを外壁２ａ，３ａの内側に折り重ねる動作に伴い、重ね合わされた状態で起立している横仕切り１０，１１が、前記内壁２ｂ，３ｂ、左右半底面４ａ，４ｂ及び縦仕切り６，７の中央部に設けた横長な嵌合用切れ目１７に順次嵌り込んでいく。そして、図５に示すように、起立した外壁２ａ，３ａの内側に内壁２ｂ，３ｂが折り重ねられ、かつ、前記内壁２ｂ，３ｂの下端部に折り目Ｃを介して連設されている左右半底面４ａ，４ｂが、前記折り目Ｃの位置において内側へ直角に折曲された状態（即ち、水平な状態）となることにより、箱３００の底面４が形成される。
【００２４】
更に折り上げの工程が進み、左右半底面４ａ，４ｂに折り目Ｄを介して連設されている縦仕切り６，７を、前記折り目Ｄの位置において上方へ直角に折曲し、嵌合用切れ目１７の縦仕切り６，７側の端部と横仕切り１０，１１に設けた嵌合用切れ目１８とを噛み合わせるとともに、起立した前後側壁８，９に設けた嵌合用切れ目１９と、縦仕切り６，７の前後両端部に設けた嵌合用切れ目２０とを噛み合わせることにより、前記縦仕切り６，７が重ね合わされた状態で箱３００の中央部に前後方向に沿って起立して、図１に示す箱３００と十字状中仕切り４００とを一体的に備えたトレー２００が折り上がり、かつ、この折り上げ形状が確実に固定される。
【００２５】
なお、左右側壁２，３の内壁２ｂ，３ｂを二重折り目Ｂの位置において折り曲げ、外壁２ａ，３ａの内側に折り重ねる際に、前記内壁２ｂ，３ｂの前後両端部に突設した支持片２２は、前後側壁８，９に押付けられることにより、折り目Ｇに沿って強制的に内側へ拡開され、トレー２００（箱３００）の四隅に支持片２２が設けられる。また、左右半底面４ａ，４ｂを折り目Ｃの位置において折り曲げる際に、前記左右半底面４ａ，４ｂの前後両端部に突設した支持片２３は、前後側壁８，９に押付けられることにより、斜め折り目Ｈに沿って強制的に上方へ拡開され、縦仕切り６，７と前後側壁８，９との交差位置近傍の４箇所に支持片２３が設けられる。更に、トレー２００を折り上げた後、十字状中仕切り４００を構成する横仕切り１０，１１に設けた支持片２４，２５が、折り目Ｊに沿って相反する方向（前後方向）へ拡開される。従って、箱３００と十字状中仕切り４００とを一体的に備えたトレー２００において、前記十字状中仕切り４００により区切られる箱３００内の４つの区画には、それぞれ支持片２２，２３，２４あるいは支持片２２，２３，２５が設けられる。
【００２６】
以上のように本発明のトレー２００は、一枚の段ボール１００を複数の折り目Ａ、Ｂ，Ｃ，Ｄ，Ｅ１，Ｅ２，Ｆに沿って折り上げることにより、直方体状の箱３００と十字状中仕切り４００とを一体的に備えて形成されるので、加工や組立てに要する手間、及び部品点数を低減し、簡単・迅速な組立て（折り上げ）作業が可能となる。また、十字状中仕切り４００により区切られる箱３００内の４つの区画にそれぞれ設けられる支持片２２，２３は、トレー２００を折り上げる際に、左右側壁２，３及び底面４（左右半底面４ａ，４ｂ）から折り目Ｇ，Ｈに沿って強制的に拡開されるので、特別な手間を要することなく所定位置に設けることができる。なお、横仕切り１０，１１に設けた支持片２４，２５は、トレー２００を折り上げた後に、折り目Ｊに沿って相反する方向へ拡開する必要があるが、支持片２５に設けた半円状の切欠部２５ａに指を差し込むことにより容易に拡開させることができる。
【００２７】
また、前記のようにして一枚の段ボール１００からトレー２００を折り上げるに際し、二重折り目Ｂから縦仕切り６，７の中程に跨って設けた横長な嵌合用切れ目１７は、折り目Ｃとの交差箇所において、その幅を紡錘形ないしは菱形状に拡開させて拡開部１７ａを設けているので、重合不完全な状態にあって嵌め込み難い横仕切り１０，１１を、嵌合用切れ目１７にスムーズに嵌め込むことができる。
【００２８】
更に、折り上がったトレー２００は、図１に示すように、その上縁四隅に係止片１５が突出し、また、底面四隅には係止片１５を挿嵌させる係合孔２１が設けられた状態になる。この結果、運搬等のために複数個のトレー２００を多段積した場合に、各段のトレー２００が互いにずれ動くのを防ぐことができる。
【００２９】
図６は本発明のトレー２００に苺パック３０を収納した状態を示す。また、図７には苺パック３０を示す。苺パック３０は、図７に示すように、ＰＥＴ樹脂等からなる透明のプラスチック製容器であり、底部３１と、上に向かって広がる周壁３２とからなる略直方体の形状をしており、上端周縁にはフランジ３３が形成されている。フランジ３３は、長手方向の長縁部３３ａと、これに直交する短縁部３３ｂと、長縁部３３ａと短縁部３３ｂとを繋ぐ４箇所の隅角部３３ｃからなる。
【００３０】
図６に示すように、トレー２００は十字状中仕切り４００によって箱３００内が４つに区画されており、これら４つに区画された部分に苺パック３０がそれぞれ収納される。トレー２００の四隅には、左右側壁２，３の内壁２ｂ，３ｂから支持片２２が内側に向けて拡開されており、また、縦仕切り６，７と前後側壁８，９との交差位置近傍の４箇所には、左右半底面４ａ，４ｂから支持片２３が上方へ向けて拡開されており、苺パック３０のフランジ３３における前後側壁８，９側に位置する２箇所の隅角部３３ｃは、前記支持片２２，２３により掛架支持される。また、横仕切り１０，１１からは支持片２４，２５が前後方向に拡開されており、苺パック３０のフランジ３３における横仕切り１０，１１側に位置する短縁部３３ｂが、前記支持片２４，２５により掛架支持される。
【００３１】
この際、左右側壁２，３の内壁２ｂ，３ｂから拡開される支持片２２の下端部は、トレー２００の底面４（左右半底面４ａ，４ｂ）と当接するとともに、支持片２３は左右半底面４ａ，４ｂから上向きに拡開され、かつ、支持片２４，２５は横仕切り１０，１１から相反する方向へ拡開されているので、苺パック３０の重量は、トレー２００の底面４（左右半底面４ａ，４ｂ）及び横仕切り１０，１１によって受け止められることになる。しかも、支持片２２は矩形状に、支持片２３は略三角形状あるいは略台形状にしてあるため、苺パック３０のフランジ３３を隅角部３３ｃにおいて良好に支持できるとともに、支持片２４，２５は逆台形状にしてあるため、フランジ３３の短縁部３３ｂを比較的広い範囲において支持することができる。この結果、苺パック３０の支持が確実に行える。
【００３２】
また、トレー２００の底面４（左右半底面４ａ，４ｂ）から前記支持片２２〜２５上端までの高さ寸法は、苺パック３０の高さ（深さ）寸法よりも大きくしてあるので、前記苺パック３０のフランジ３３は、支持片２２，２３，２４あるいは支持片２２，２３，２５により支持される結果、苺パック３０の底部３１は、トレー２００の底面４に接触することなく、宙に浮いた状態を保つことができる。従って、苺パック３０内に段積み状態で収納した苺等が重みにより押し潰されて傷付くのを防ぐことができる。
【産業上の利用可能性】
【００３３】
本発明は、苺パックを収納するための段ボール製トレーに限らず、苺以外の果実等を収納したプラスチック製パックを収納するための段ボール製トレーにも適用することが可能である。
【符号の説明】
【００３４】
１  中央面
１ａ，１ｂ  前後縁部
２，３  左右側壁
２ａ，３ａ  外壁
２ｂ，３ｂ  内壁
４  底面
４ａ，４ｂ  左右半底面
６，７  縦仕切り
８，９  前後側壁
１０，１１  横仕切り
１２  切起用切れ目
１３  起立補助片
１４  Ｔ字切れ目
１５  係止片
１６  刳抜孔
１７，１８，１９，２０  嵌合用切れ目
１７ａ  拡開部
２１  係合部
２２，２３，２４，２５  支持片
２５ａ  切欠部
１００  段ボール
２００  苺パック収納用トレー
３００  箱
４００  十字状中仕切り
Ａ  主折り目
Ｂ  二重折り目
Ｃ，Ｄ，Ｇ，Ｊ  折り目
Ｅ１，Ｅ２  切起用折り目
Ｆ，Ｈ  斜め折り目
【図１】
2015134636.tif 000003
【図２】
2015134636.tif 000004
【図３】
2015134636.tif 000005
【図４】
2015134636.tif 000006
【図５】
2015134636.tif 000007
【図６】
2015134636.tif 000008
【図７】
2015134636.tif 000009